(57)【要約】【課題】ＰＤＡにより長時間の記録や編集処理を行い、編集の二度手間を無くする。【解決手段】ＰＤＡを用いて放送番組の予約を行うと、予約番組リストが固定端末に送られる。固定端末で同一放送番組の予約を行い、ＰＤＡと固定端末の両方で同一放送番組を記録する。ＰＤＡでは、記録する画像サイズを固定端末よりも小さくするとともに、記録した画像データを再生し、編集処理を行う際に、バッテリの電圧が基準電圧よりも低い場合、音声のみを再生して編集を行なうから、長時間の記録，編集が可能である。編集処理後に編集リストを作成し、この編集リストを固定端末に送る。固定端末では、編集リストに基づき自動編集を行う。外出先から帰ったのちに、固定端末により編集した放送番組を見ることができ、編集の二度手間がなくなる。効率良く放送番組を視聴することができる。【選択図】図６
2009278431.tif 000002
【特許請求の範囲】
【請求項１】
放送番組の記録、再生、編集が可能な移動体端末と、前記放送番組の記録、再生、編集が可能な固定端末とを用いて、前記放送番組の記録、再生、編集を行う放送番組編集方法において、
前記移動体端末に記録する画像のサイズを固定端末よりも小さく設定及び／又は前記移動体端末に記録する画像の画質と音声の音質とを固定端末よりも低く設定し、同一の前記放送番組を前記移動体端末及び固定端末により記録する工程と、
前記移動体端末を用いて前記放送番組を編集し、この編集データを前記固定端末に送る工程と、
前記送られた編集データに基づき前記固定端末で前記放送番組を編集する工程とを有することを特徴とする放送番組編集方法。
【請求項２】
前記移動体端末に記録する画像の画質と音声の音質とを固定端末よりも低く設定するには、前記移動体端末に記録する画像及び音声の各記録ビットレートを固定端末よりも小さく設定することを特徴とする請求項１記載の放送番組編集方法。
【請求項３】
前記移動体端末は、音声のみを再生、編集することを特徴とする請求項１または２記載の放送番組編集方法。
【請求項４】
前記移動体端末は、搭載する電源電池の電圧を測定する電圧測定部を有し、前記電源電池の電圧が所定の基準電圧以下となった際に、音声のみを再生、編集することを特徴とする請求項１または２記載の放送番組編集方法。
【請求項５】
放送番組の記録、再生、編集が可能な移動体端末と、前記放送番組の記録、再生、編集が可能な固定端末とを用いて、前記放送番組の記録、再生、編集を行う放送番組編集方法において、
前記放送番組を前記固定端末が記録すると同時に、同一の前記放送番組の音声のみを前記移動体端末が記録する工程と、
前記移動体端末を用いて前記放送番組の音声を編集し、この編集データを前記固定端末に送る工程と、
前記送られた編集データに基づき前記固定端末で前記放送番組を編集する工程とを有することを特徴とする放送番組編集方法。
【請求項６】
放送番組の記録、再生、編集が可能な移動体端末において、
前記放送番組の記録、再生、編集が可能な固定端末に対し前記放送番組の記録予約データを送り、同一の放送番組を記録させる同期記録指示部と、
前記同一の放送番組を記録する際に、記録する画像のサイズを固定端末よりも小さく設定又は記録する画像の画質と音声の音質とを固定端末よりも低く設定する設定部と、
記録済みの放送番組を再生して編集データを入力する編集データ作成部と、
前記編集データを前記固定端末にデータ送信する編集データ送信部とを備えることを特徴とする移動体端末。
【請求項７】
放送番組の記録、再生、編集が可能な移動体端末において、
前記放送番組の記録、再生、編集が可能な固定端末に対し前記放送番組の記録予約データを送り、同一の放送番組を記録させる同期記録指示部と、
前記同一の放送番組を記録する際に、音声のみを記録するように設定する設定部と、
記録済みの放送番組の音声を再生して編集データを入力する編集データ作成部と、
前記編集データを前記固定端末にデータ送信する編集データ送信部とを備えることを特徴とする移動体端末。
【請求項８】
放送番組の記録、再生、編集が可能な固定端末において、
請求項５または６記載の移動体端末から送られる記録予約データに基づき、前記同一の放送番組を記録する同期記録部と、
前記移動体端末から送られる編集データを受け取り、この編集データに基づき前記放送番組を自動編集する編集処理部とを備えることを特徴とする固定端末。
【請求項９】
放送番組の記録、再生、編集が可能な移動体端末及び固定端末を備える放送番組編集システムにおいて、
前記移動体端末は、記録する画像のサイズを固定端末よりも小さく設定及び／又は記録する画像の画質と音声の音質とを固定端末よりも低く設定し、前記固定端末と同一の前記放送番組を記録する同期記録部、記録済みの放送番組を再生して編集データを入力する編集データ作成部、及び前記編集データを前記固定端末にデータ送信する編集データ送信部を有し、
前記固定端末は、前記移動体端末と同一の前記放送番組を記録する同期記録部、前記編集データを受信する編集データ受信部、及び前記編集データに基づき前記放送番組を自動編集する編集処理部を有することを特徴とする放送番組編集システム。
【請求項１０】
放送番組の記録、再生、編集が可能な移動体端末及び固定端末を備える放送番組編集システムにおいて、
前記移動体端末は、前記放送番組の音声のみを記録し、前記固定端末と同一の前記放送番組を記録する同期記録部、記録済みの放送番組の音声を再生して編集データを入力する編集データ作成部、及び前記編集データを前記固定端末にデータ送信する編集データ送信部を有し、
前記固定端末は、前記移動体端末と同一の前記放送番組を記録する同期記録部、前記編集データを受信する編集データ受信部、及び前記編集データに基づき前記放送番組を自動編集する編集処理部を有することを特徴とする放送番組編集システム。
【発明の詳細な説明】
【技術分野】
【０００１】
本発明は、放送番組編集方法及びシステム並びに移動体端末、固定端末に関する。
【背景技術】
【０００２】
近年、携帯電話、ＰＤＡなどの移動体端末の普及及び進歩は著しく、これらの移動体端末では、家庭などで設置されるテレビ番組録画再生装置と同じように、テレビ番組などの視聴が可能になってきている。また、これら移動体端末を用いてテレビ番組録画再生装置などをリモートコントロールすることも行われている。
【０００３】
例えば、特許文献１では、移動体端末で視聴した番組の内、希望する内容をテレビ番組録画再生装置などの家庭用ビデオ機器（以下、移動体端末に対応させて固定端末の名称を用いることもある）に、再生補助データとして送ることにより、再視聴したい部分を速やかに特定し、再視聴することができる。このため、移動体端末側では、電波状況、停止か走行中かの移動状況、再視聴希望区間をマーキング指定した再生補助データを作成している。
【０００４】
また、移動体端末から各種固定端末へ通信あるいは遠隔制御するシステム（例えば特許文献２参照）や、移動体端末から固定端末に録画予約を行うシステム（例えば特許文献３参照）も提案されている。
【特許文献１】特開２００５−２７７６４１号公報
【特許文献２】特開２００６−６０３９３号公報
【特許文献３】特開２００３−２７４３２１号公報
【発明の開示】
【発明が解決しようとする課題】
【０００５】
ところで、移動体端末での動画データの視聴は画面サイズが限られており、細部においての観察が不可能であって、再視聴したい場合がある。また、動画データの全体的な流れや概略の把握は移動体端末であっても可能であり、全体的な流れの中から必要と思われる部分を動画データとして別に記憶しておきたい場合がある。このような場合に、従来のものでは対応することができないという問題がある。
【０００６】
また、移動体端末は、フラッシュメモリや小型ハードディスクなどの記憶装置を内蔵しているが、これらの記憶容量は固定端末のそれと比べてはるかに少なく、固定端末と同じ長さの番組を記憶させることは困難である。また、移動体端末は、駆動電源として充電式のバッテリや着脱自在の乾電池を用いており、これらは電気容量が少ないため、固定端末と同等の長時間の録画や編集（再生も含む）を行なうことが困難である。
【０００７】
本発明は上記問題を解決するためのものであり、記憶容量が少ない記憶装置と電気容量が少ない電源とを用いた移動体端末でも長時間の録画や編集を行なうことができるとともに、移動体端末で編集した編集データを用いて固定端末で自動編集することができるようにした放送番組編集方法及びシステム並びに移動体端末、固定端末を提供することを目的とする。
【課題を解決するための手段】
【０００８】
上記目的を達成するために、本発明の放送番組編集方法では、放送番組の記録、再生、編集が可能な移動体端末と、前記放送番組の記録、再生、編集が可能な固定端末とを用いて、前記放送番組の記録、再生、編集を行う放送番組編集方法において、前記移動体端末に記録する画像のサイズを固定端末よりも小さく設定及び／又は前記移動体端末に記録する画像の画質と音声の音質とを固定端末よりも低く設定し、同一の前記放送番組を前記移動体端末及び固定端末により記録する工程と、前記移動体端末を用いて前記放送番組を編集し、この編集データを前記固定端末に送る工程と、前記送られた編集データに基づき前記固定端末で前記放送番組を編集する工程とを有することを特徴とする。
【０００９】
前記移動体端末に記録する画像の画質と音声の音質とを固定端末よりも低く設定するには、前記移動体端末に記録する画像及び音声の各記録ビットレートを固定端末よりも小さく設定することを特徴とする。また、前記移動体端末は、音声のみを再生、編集することを特徴とする。また、前記移動体端末は、搭載する電源電池の電圧を測定する電圧測定部を有し、前記電源電池の電圧が所定の基準電圧以下となった際に、音声のみを再生、編集することを特徴とする。
【００１０】
また、放送番組の記録、再生、編集が可能な移動体端末と、前記放送番組の記録、再生、編集が可能な固定端末とを用いて、前記放送番組の記録、再生、編集を行う放送番組編集方法において、前記放送番組を前記固定端末が記録すると同時に、同一の前記放送番組の音声のみを前記移動体端末が記録する工程と、前記移動体端末を用いて前記放送番組の音声を編集し、この編集データを前記固定端末に送る工程と、前記送られた編集データに基づき前記固定端末で前記放送番組を編集する工程とを有することを特徴とする。
【００１１】
本発明の移動体端末は、放送番組の記録、再生、編集が可能な移動体端末において、前記放送番組の記録、再生、編集が可能な固定端末に対し前記放送番組の記録予約データを送り、同一の放送番組を記録させる同期記録指示部と、前記同一の放送番組を記録する際に、記録する画像のサイズを固定端末よりも小さく設定又は記録する画像の画質と音声の音質とを固定端末よりも低く設定する設定部と、記録済みの放送番組を再生して編集データを入力する編集データ作成部と、前記編集データを前記固定端末にデータ送信する編集データ送信部とを備えることを特徴とする。
【００１２】
また、放送番組の記録、再生、編集が可能な移動体端末において、前記放送番組の記録、再生、編集が可能な固定端末に対し前記放送番組の記録予約データを送り、同一の放送番組を記録させる同期記録指示部と、前記同一の放送番組を記録する際に、音声のみを記録するように設定する設定部と、記録済みの放送番組の音声を再生して編集データを入力する編集データ作成部と、前記編集データを前記固定端末にデータ送信する編集データ送信部とを備えることを特徴とする。
【００１３】
本発明の固定端末は、放送番組の記録、再生、編集が可能な固定端末において、移動体端末から送られる記録予約データに基づき、同一の放送番組を記録する同期記録部と、前記移動体端末から送られる編集データを受け取り、この編集データに基づき前記放送番組を自動編集する編集処理部とを備えることを特徴とする。
【００１４】
本発明の放送番組編集システムは、放送番組の記録、再生、編集が可能な移動体端末及び固定端末を備える放送番組編集システムにおいて、前記移動体端末は、記録する画像のサイズを固定端末よりも小さく設定及び／又は記録する画像の画質と音声の音質とを固定端末よりも低く設定し、前記固定端末と同一の前記放送番組を記録する同期記録部、記録済みの放送番組を再生して編集データを入力する編集データ作成部、及び前記編集データを前記固定端末にデータ送信する編集データ送信部を有し、前記固定端末は、前記移動体端末と同一の前記放送番組を記録する同期記録部、前記編集データを受信する編集データ受信部、及び前記編集データに基づき前記放送番組を自動編集する編集処理部を有することを特徴とする。
【００１５】
また、放送番組の記録、再生、編集が可能な移動体端末及び固定端末を備える放送番組編集システムにおいて、前記移動体端末は、前記放送番組の音声のみを記録し、前記固定端末と同一の前記放送番組を記録する同期記録部、記録済みの放送番組の音声を再生して編集データを入力する編集データ作成部、及び前記編集データを前記固定端末にデータ送信する編集データ送信部を有し、前記固定端末は、前記移動体端末と同一の前記放送番組を記録する同期記録部、前記編集データを受信する編集データ受信部、及び前記編集データに基づき前記放送番組を自動編集する編集処理部を有することを特徴とする。
【発明の効果】
【００１６】
本発明によれば、同一の放送番組を移動体端末及び固定端末により記録し、前記移動体端末を用いて放送番組を編集し、この編集データを用いて固定端末で放送番組を自動編集するから、固定端末での編集操作が不要になり、編集操作を２回行う必要がなくなる。また、移動体端末での記録時に画像サイズを縮小したり画質や音質を低くし、また移動体端末での編集時に音声のみを再生して編集するから、記憶容量が少ない記憶装置と電気容量が少ない電源とを用いた移動体端末でも長時間の録画や編集を行なうことができる。
【発明を実施するための最良の形態】
【００１７】
図１に示す録画再生装置（固定端末）１０は、装置本体１１、放送受信部１２、編集／予約データ送受信部１３、ユニバーサルインターフェース（Ｕ  Ｉ／Ｆ）１４、ディスプレイ１５、リモコン１６、外部メディアドライブ１７から構成されている。なお、放送番組を記録することを一般に「録画」するといい、画像の記録だけでなく音声の記録（録音）も含む意味で用いられるのが一般的である。ところが、画像記録と音声記録とを区別すべき場合に「録画」を用いると、画像のみの記録の意味となり、一般的な「録画」の概念と異なることになる。そこで、以下原則として「記録」という文言を用い、明らかに一般的な「録画」の概念で用いられる場合のみに「録画」の文言を用いることとする。
【００１８】
装置本体１１は、バス２０を介して、ＣＰＵ２１、ＲＯＭ／ＲＡＭ２２、外部メディアＩ／Ｆ２３、ハードディスク等の内部ストレージ２４からデータの授受を行う記録読出制御部２５、編集実行制御部２６、編集／記録予約データを蓄積する編集／予約データ蓄積部２７、ディスプレイ１５等の表示制御を行う表示制御部２８、受信Ｉ／Ｆ２９、通信Ｉ／Ｆ３０、リモコン制御部３１、Ｕ  Ｉ／Ｆ３２を備えており、番組予約によって放送受信部１２からの画像データ及び音声データを内部ストレージ２４に記録するとともに、リモコン１６などからの再生操作によりディスプレイ１５に放送番組などを再生する機能を有する。
【００１９】
また、装置本体１１は、リモコン操作による編集処理機能も備えており、編集済み画像データによって放送番組を再生することができる。外部メディアドライバ１７には、例えば、ＤＶＤ、ＤＶＤ−Ｒ、ＤＶＤ−ＲＡＭ、ＭＯ、ＩＣメモリなどやその他の可搬記録媒体１８がセットされ、画像データの読み書きが行われる。
【００２０】
番組予約で使用される予約メニューモードを階層表示したテーブル３５を示す図２において、予約リスト表示による予約、簡単予約、Ｇコード予約、日時指定予約、お好み番組指定予約などの各種予約が可能になっている。また、ダビングでは、ファイナライズ処理、高速ダビング処理、通常ダビング処理が可能になっている。その他では、オートチャプタ処理、ジャスト録画処理、音声記録方式選択処理、外部音声入力処理、ビデオフォーマット処理、マニュアル録画モード、ディスク初期化モードなどの各種処理モードが可能になっている。
【００２１】
編集／消去／ダビング時に使用される編集メニューモードを階層表示したテーブル３６を示す図３において、編集／消去では、タイトル全消去、タイトル選択消去、タイトル保護、タイトル保護解除、部分消去、再生、シーン消去、タイトル名変更、インデックス画面変更、チャプタ分割、オートチャプタ等の各種処理が可能になっている。また、ファイナライズ、高速ダビング、通常ダビングなどのダビング処理が可能になっている。その他では、個別に設定することができ編集処理が可能になっている。
【００２２】
図４に示す移動体端末（ＰＤＡ）４０も、固定端末１０と同様の機能を有する他に、さらに、ＰＤＡ４０として、パソコン機能、通信機能、テレビ機能、カメラ機能を備えている。このため、装置本体４１、放送受信部４２、編集／予約データ送受信部４３、液晶ディスプレイ４５、キーボード４６、タッチペン４７、スピーカ４８、マイク４９、カメラ５０、外部メディアドライバ５１から、ＰＤＡ４０が構成されている。
【００２３】
装置本体４１は、バス６０を介して、ＣＰＵ６１、ＲＯＭ／ＲＡＭ６２、外部メディアＩ／Ｆ６３、ハードディスク等の内部ストレージ６４からデータの授受を行う記録読出制御部６５、編集実行制御部６６、編集／予約データを蓄積する編集／予約データ蓄積部６７、液晶ディスプレイ４５等の表示制御を行う表示制御部６８、受信Ｉ／Ｆ６９、通信Ｉ／Ｆ７０、Ｕ  Ｉ／Ｆ７１、画像音声制御部７２、カメラ制御部７３、バッテリ７４からの電源電圧を各部に対応した電圧に変換して供給する電源回路７５、バッテリ７４の電圧を測定する電圧測定回路７６等を備えており、番組予約によって放送受信部４２からの画像データ及び音声データを内部ストレージ６４に記録するとともに、キーボード４６、タッチペン４７などからの再生操作によりディスプレイ４５に放送番組などを再生する機能を有する。また、キーボード４６及びタッチペン４７による編集処理機能も備えている他に、編集済み画像データによって放送番組を再生することもできる。外部メディアドライバ５１には、例えば、メモリカードなどの可搬記録媒体５２がセットされ、画像データの読み書きが行われる。
【００２４】
電圧測定回路７６によって測定されたバッテリ７４の測定電圧は、ＣＰＵ６１に入力され、予め決められた基準電圧と比較される。バッテリ７４の測定電圧が基準電圧よりも低い場合、再生時に音声のみが再生され、画像の再生は行なわれないように制御される。これにより、バッテリ７４の消耗が抑えられ、ＰＤＡ４０のより長時間の駆動が可能になる。
【００２５】
図５はＰＤＡ４０の一例を示す斜視図であり、ＰＤＡ４０は、タッチペン領域４５ａを有する液晶ディスプレイ４５、キーボード４６、十字キー７０などを有する入力部７１、スピーカ４８、マイク４９、メモリカードなどの可搬記録媒体５２の挿入口７７、デジタルカメラ用シャッタボタン７８、ビューファインダ７４、アンテナ７５、赤外線通信部７６などを備えている。
【００２６】
次に、図６に示すフローチャートを参照して、固定端末１０とＰＤＡ４０とを用いた編集再生処理について説明する。ＰＤＡ４０で番組予約する際に、リンク編集モードが設定されている場合には（ｓｔ１）、番組予約（ｓｔ２）によって作成された予約リストテーブル（図９参照）８０が固定端末１０にも送られ（ｓｔ３，４）、固定端末１０とＰＤＡ４０の両方で同一番組についての予約処理が行われる。予約処理では、予約時間になると予約した放送番組が記録される（ｓｔ５）。また、リンク編集モード以外の通常編集モードが設定されると、一般的な通常編集が可能となる（ｓｔ６）。
【００２７】
番組予約（ｓｔ２）では、図７のフローチャートに示すように、記録を希望する番組を１〜Ｎ個（予約番組総数＝Ｎ個）設定すると、液晶ディスプレイ４５に、残りの記録可能時間と残りの予約可能番組総時間とが表示されるとともに（ｓｔ７）、予約した順番に画像サイズ（画像の画面サイズ）を固定端末１０よりも低く設定する（画像サイズ縮小）か否かの問いが表示される（ｓｔ８）。
【００２８】
画像サイズの縮小を承諾する旨のキー操作を行なうと、続いて画像サイズの設定を行なう画面が表示されるから、ＣＩＦ（Common Intermediate Format；352×288画素），ｓＱＣＩＦ（Sub-QCIF；128×96画素），ＱＣＩＦ（Quarter-CIF；176×144画素），ＶＧＡ（640×480画素）の中から所望の画像サイズを選択する（ｓｔ９）（図９参照）。画像サイズを縮小しない場合には、デフォルトサイズで予約が行なわれる（ｓｔ１０）。このデフォルトサイズは、固定端末１０で記録される画像サイズであり、例えばＨＤＴＶ（1280×720画素）又はＱＸＧＡ（2048×1536画素）である。
【００２９】
画像サイズの縮小を選択すると、画像サイズがデフォルトサイズよりも小さくなるから、内部ストレージ６４により多く（より長時間）の画像データを記録することが可能になる。また、記録時間が短縮されるため、バッテリ７４の消耗を抑えて長時間の記録を行なうことが可能になる。
【００３０】
画像サイズの設定を順次に行い、全て（Ｎ個）の番組について画像サイズの設定を終了すると（ｓｔ１１，１２）、上記ステップ３（ｓｔ３）に移行する。
【００３１】
図６に示すフローチャートに戻って、記録が完了すると（ｓｔ５）、編集可能モードになり、ＰＤＡ４０を用いて、編集が可能になる（ｓｔ１３）。この編集操作では（ｓｔ１４）、図８のフローチャートに示すように、編集する番組番号を設定する（ｎ＝１）と、残りの編集可能時間（バッテリ容量）が表示される（ｓｔ１５）。
【００３２】
バッテリ７４の測定電圧が基準電圧と比較され（ｓｔ１６）、測定電圧が基準電圧よりも低い場合、画像の再生は行なわれずに音声のみが再生される音声再生モードに設定される（ｓｔ１７）。これにより、バッテリ７４の消耗が抑えられ、ＰＤＡ４０のより長時間の駆動が可能になる。また、音声再生に使用されるビットレートを選択するとともにステレオかモノラルを選択する（ｓｔ１８）。
【００３３】
測定電圧が基準電圧以上に高い場合、画像及び音声が再生される標準再生モードに設定される（ｓｔ１９）。この後、編集メニューを選択し（ｓｔ２０）、編集を実行することにより（ｓｔ２１）、編集履歴が図１０に示すような編集リストテーブル８１として蓄積される（ｓｔ２２）。
【００３４】
編集メニューとしては、後に説明するように、消去、チャプタ変更などの一般的なものと、視聴繰返回数指示、優先視聴指示、ダビング指示、ファイナライズ指示などの特殊なものとがある。
【００３５】
図６に示すフローチャートに戻って、編集を終了すると（ｓｔ２５）、リスト形式の編集データが固定端末１０に向けて送信され（ｓｔ２６）、ＰＤＡ４０による編集が終了する。なお、放送番組の全体を記録終了することなく、途中で記録済み部分を順次再生していくことで、編集処理を早めに開始してもよい。
【００３６】
固定端末１０では、同一番組の記録が完了すると（ｓｔ５）、スタンバイ状態となり（ｓｔ２７）、ＰＤＡ４０からの編集データの着信を待つ。編集データが受信されると（ｓｔ２８）、編集データに基づき自動的に編集処理が行われる（ｓｔ２９）。なお、ＰＤＡ４０からの編集データが音声のみを再生して編集したものであっても、その編集結果は画像及び音声を再生しながら編集したものと何ら変わりがないから、ＰＤＡ４０からの編集データに基づく固定端末１０での自動編集処理は問題なく行なわれる。自動編集が終了すると、編集完了信号が必要に応じてＰＤＡ４０に送られる。
【００３７】
編集完了信号を受信した後に、固定端末１０で同時記録編集番組の再生モードを選択すると、ＰＤＡ４０で編集された編集データに基づき動画が生成される。この動画データは内部ストレージ２４に記録される。固定端末１０では、通常はテレビなどの画面サイズが大きいディスプレイを用いて再生画が表示される。この場合に、予めＰＤＡ４０を用いて所望の編集が行われているため、再度、編集操作を行う必要もなく、簡単に編集した画像を見ることができる。また、画面サイズの大きいディスプレイが用いられるため、ＰＤＡ４０での視聴とは異なって画像の細部の観察も可能であり、放送番組を効率よく視聴することができる。
【００３８】
図９は、予約リストテーブル８０のデータの一例を示している。予約リストでは、日付、時間、ソース名（地上デジタル，地上アナログ，ＢＳデジタルなど）、チャンネル、開始時刻、終了時刻，記録ソース（ノーマル（画像＋音声），音声ステレオ，音声モノラルなど），画像のフォーマット（MPEG，RealVideoなど），画面サイズ，画質（Quality），音声のフォーマット（MP3ステレオなど），音質（kbps）が特定されて、これに基づき記録が行われる。また、この予約リストは、対応する固定端末１０に向けて送られる。
【００３９】
図１０は、予約リストテーブル８０に対応する編集リストテーブル８１のデータの一例を示している。編集リストテーブル８１は、編集時の再生ソース選択と編集履歴リストとからなる。編集時の再生ソース選択は、予約リストテーブル８０の予約リストに対応しており、記録ソースの名称が再生ソースに変わっているだけであるから説明を省略する。
【００４０】
編集履歴リストは、例えば、編集リストに基づく編集を行うか否かの指示をする編集指示、消去指示、チャプタ変更指示、視聴繰返回数指示、優先視聴指示、ダビング指示、ファイナライズ指示などの項目を有し、これらが書き込み可能な欄が設けている。編集指示では「１」の場合に編集指示有りとなり、「０」で編集指示無しとなる。また、消去指示では、全消去を指示する全消去指示と、一部分のみを指示する部分消去指示がある。
【００４１】
部分消去指示の場合には、消去する部分の開始時刻、終了時刻が指示される。チャプタ変更指示では、チャプタを分割するか否かを指示する分割指示と、分割指示の場合に分割ポジションを示す指示データとが書き込まれる。また、タイトルを変更する場合には、変更したタイトル名がタイトル変更欄に書き込まれる。また、インデックス画面変更も含まれ、この場合には放送番組中に含まれるＣＭ部分を飛ばして又はカットして、本編の冒頭部分がインデックス画面として登録される。
【００４２】
視聴繰返回数は、記録した放送番組の再生の繰返回数を指示する。また、優先視聴指示は再生優先度を示すもので、最初に見たい場合には「１」が書き込まれ、次に視聴したい番組には「２」が書き込まれる。以下、見たい順番の書き込みが行われる。ダビング指示は、可搬記録媒体１８に対して、記録するか否かを指示する。ファイナライズ処理は、可搬記録媒体１８を用いて外部装置で視聴することができるように標準フォーマットに変換する処理を指示する。なお、視聴繰返回数指示や優先視聴指示は、番組単位で指示する他に、チャプタ単位や更にはそれよりも細かい単位で分割した部分単位で指示してもよい。
【００４３】
また、編集リストには、上記の各項目の他に、音声モード選択や一時停止指示、スロー再生指示、早送り再生指示などの各種編集項目を書き込むようにしてもよい。
【００４４】
上記実施形態では、ＰＤＡ４０で番組予約し、この番組リストを固定端末１０に送信することで、固定端末１０側での予約操作を不要としているが、これに代えて、予約処理はそれぞれの装置で別々に行うようにしてもよい。また、固定端末１０で予約する際に、ＰＤＡ４０での編集操作有りを選択した場合には、固定端末１０から予約リストをＰＤＡ４０に送るようにしてもよい。また、上記実施形態では、ＰＤＡ４０で記録が終了した後に編集を開始しているが、記録時に画像を見ながら編集を行ってもよい。
【００４５】
上記実施形態では、番組予約において長時間記録を行なうために画像サイズを縮小するようにしたが、図１１のフローチャートに示すように、音声のみの記録を行なうようにしてもよい（ｓｔ３１）。この場合、音声記録のビットレート，ステレオかモノラルを選択する（ｓｔ３２）。音声のみ記録を行なわない場合、画像及び音声の両方の記録を行なう標準記録が自動的に選択される（ｓｔ３３）。
【００４６】
また、図１２のフローチャートに示すように、番組予約において長時間記録を行なうために、ＰＤＡ４０で記録する画像の画質を固定端末１０よりも低く設定するQuality選択を行なってもよい（ｓｔ４１）。この場合、画質については、ＨＱ（9Mbps），ＳＰ（7Mbps），ＬＰ（5Mbps）のうちいずれかを選択する（ｓｔ４２）。また、画質を低く設定すると同時に音質を低く設定すると、更に長時間記録を行なうことができる。なお、画質，音質を低く設定するには、画像，音声の各記録ビットレートを小さく設定する。
【００４７】
上記実施形態では、編集操作において長時間編集を行なうためにバッテリの測定電圧が基準電圧よりも低い場合に音声再生モードに設定したが、図１３のフローチャートに示すように、バッテリの測定電圧の高低にかかわらず、ユーザの任意で音声再生モードに設定してもよい（ｓｔ５１）。
【００４８】
上記実施形態では、移動体端末が記録する画像サイズを固定端末よりも小さく設定する例と、移動体端末が記録する画質や音質を固定端末よりも低く設定する例とをそれぞれ別々の例として説明したが、本発明はこれに限定されることなく、画像サイズを小さく設定し、かつ画質や音質を低く設定してもよい。
【００４９】
また、上記実施形態では、無線送信部を用いて編集データや記録予約データを固定端末に送るようにしたが、メモリカード等の可搬記録媒体や有線を介して送るようにしてもよい。無線で送る場合には、携帯電話回線を使用する他に、赤外線通信、ブルーツースなどの近距離無線通信などの各種方式で行っても良い。
【図面の簡単な説明】
【００５０】
【図１】固定端末の概略構成を示すブロック図である。
【図２】予約メニューテーブルの一例を示す説明図である。
【図３】編集メニューテーブルの一例を示す説明図である。
【図４】ＰＤＡの概略構成を示すブロック図である。
【図５】ＰＤＡの概観を示す斜視図である。
【図６】リンク編集処理を示すフローチャートである。
【図７】図６の番組予約の手順を示すフローチャートである。
【図８】図６の編集操作の手順を示すフローチャートである。
【図９】予約リストテーブルの一例を示す説明図である。
【図１０】編集リストテーブルの一例を示す説明図である。
【図１１】番組予約で音声のみを記録する場合の手順を示すフローチャートである。
【図１２】番組予約で画質を低く設定する場合の手順を示すフローチャートである。
【図１３】編集操作で音声のみを再生して編集する場合の手順を示すフローチャートである。
【符号の説明】
【００５１】
１０  固定端末
１１，４１  装置本体
４０  ＰＤＡ
６１  ＣＰＵ
６４  内部ストレージ
７４  バッテリ
７５  電源回路
７６  電圧測定回路
８０  予約リストテーブル
８１  編集リストテーブル
【図１】
2009278431.tif 000003
【図２】
2009278431.tif 000004
【図３】
2009278431.tif 000005
【図４】
2009278431.tif 000006
【図５】
2009278431.tif 000007
【図６】
2009278431.tif 000008
【図７】
2009278431.tif 000009
【図８】
2009278431.tif 000010
【図９】
2009278431.tif 000011
【図１０】
2009278431.tif 000012
【図１１】
2009278431.tif 000013
【図１２】
2009278431.tif 000014
【図１３】
2009278431.tif 000015